(57)【要約】【課題】特性データの分布間の類似度を精度良く評価して、運転特性の分布を高精度に記憶する特性記憶装置を提供する。【解決手段】複数の車両から収集された運転情報に基づいた特性データの分布を記憶する特性記憶装置２００であって、特性ＤＢ２１と、分布ＤＢ２３と、類似度算出部２２１と、統合部２２３と、を備える。特性ＤＢ２１は、特性データと属性データを対応づけて記憶する。分布ＤＢ２３は、特性ＤＢ２１において同一の属性データに対応付けて記憶されている複数の特性データの分布に関する分布情報と属性データを対応づけて記憶する。類似度算出部２２１は、互いに異なる分布情報に対応する複数の分布の分布間の類似度を、ＭＭＤに基づいて算出する。統合部２２３は、算出された類似度が予め設定された閾値よりも高い場合に、互いに異なる分布情報に対応する複数の分布を統合して、互いに異なる分布情報を１つの分布情報とする。【選択図】図１
2019114040.tif 000002
【特許請求の範囲】
【請求項１】
複数の車両から収集された運転情報に基づいた特性データの分布を、車両の運転支援に利用するために記憶する特性記憶装置（２００）であって、
前記特性データと前記特性データの属性を示す属性データを対応づけて記憶するように構成された特性データベース（２１）と、
前記特性データベースにおいて同一の前記属性データに対応付けて記憶されている複数の前記特性データの分布に関する分布情報と前記属性データを対応づけて記憶するように構成された分布データベース（２３）と、
互いに異なる前記分布情報に対応する複数の分布の分布間の類似度を、Maximum Mean Discrepancyに基づいて算出するように構成された類似度算出部（２２１）と、
前記類似度算出部により算出された前記類似度が予め設定された閾値よりも高い場合に、前記互いに異なる分布情報に対応する複数の分布を統合して、前記互いに異なる分布情報を１つの分布情報とするように構成された統合部（２２３）と、を備える、
特性記憶装置。
【請求項２】
前記分布に属する前記特性データの標本数の多寡によって生じる前記類似度の推定誤差を補正するように構成された補正部（２２２）を備える、請求項１に記載の特性記憶装置。
【発明の詳細な説明】
【技術分野】
【０００１】
本開示は、複数の車両から収集した特性データの分布を記憶する特性記憶装置に関する。
【背景技術】
【０００２】
近年、複数の車両から収集された運転情報に基づいた特性データの分布を記憶しておき、支援対象車両の走行時に、記憶されている特性データの分布を用いて、支援対象車両の運転を支援する運転支援システムが提案されている。
【０００３】
例えば、特許文献１に記載の走行区間評価方法は、ドライバに対応づけて車間距離を含む運転情報を収集して、自車のドライバがとる車間距離の第１分布と他車のドライバがとる車間距離の第２分布とを比較している。そして、上記走行区間評価方法は、第１分布と特徴が類似する第２分布を生成する他車のドライバを抽出し、抽出したドライバの第２分布に基づいて、自車の走行経路候補が車間距離の調整が強いられるか否か判断し、車間距離の調整が強いられる場合は、迂回経路を出力する。
【先行技術文献】
【特許文献】
【０００４】
【特許文献１】特開２０１７−４１０２０号公報
【発明の概要】
【発明が解決しようとする課題】
【０００５】
ところで、上記運転支援システムでは、形状の異なる分布を区別して記憶しつつ、形状の類似する分布を統合して記憶量を削減した、高精度な特性記憶装置を構成することが望ましい。このような高精度な特性記憶装置を構成するためには、特性データの分布間の類似度を精度よく評価する必要がある。
【０００６】
上記走行区間評価方法では、第１分布及び第２分布を単純な形状のモデルであるヒストグラムに当てはめて、ヒストグラム間の類似度を評価している。しかしながら、特性データの分布は、複雑な形状になることがあり、単純な形状のモデルでは精度よく特性データの分布間の類似度を算出できない可能性がある。また、第１分布と第２分布との近傍標本間の距離から分布間の類似度を算出する方法もある。しかしながら、この方法は、近傍標本間の距離だけを考慮して標本集合全体の分布密度の違いを考慮しないため、精度良く特性データの分布間の類似度を算出することができない可能性がある。
【０００７】
本開示は、上記実情を鑑みてなされたものであり、特性データの分布間の類似度を精度良く評価して、運転特性の分布を高精度に記憶する特性記憶装置を提供することを目的とする。
【課題を解決するための手段】
【０００８】
本開示の一態様は、複数の車両から収集された運転情報に基づいた特性データの分布を、車両の運転支援に利用するために記憶する特性記憶装置（２００）であって、特性データベース（２１）と、分布データベース（２３）と、類似度算出部（２２１）と、統合部（２２３）と、を備える。特性データベースは、特性データと特性データの属性を示す属性データを対応づけて記憶するように構成される。分布データベースは、特性データベースにおいて同一の属性データに対応付けて記憶されている複数の特性データの分布に関する分布情報と属性データを対応づけて記憶するように構成される。類似度算出部は、互いに異なる分布情報に対応する複数の分布の分布間の類似度を、Maximum Mean Discrepancyに基づいて算出するように構成される。統合部は、類似度算出部により算出された類似度が予め設定された閾値よりも高い場合に、互いに異なる分布情報に対応する複数の分布を統合して、互いに異なる分布情報を１つの分布情報とするように構成される。
【０００９】
本開示によれば、互いに異なる属性に対応する複数の分布間の類似度が、Maximum Mean Discrepancy（以下、ＭＭＤ）に基づいて算出される。分布間の類似度にＭＭＤを用いることにより、特性データの分布の複雑な形状及び分布密度を考慮して、複数の分布間の類似度を精度良く評価し、類似する複数の分布を１つの分布に統合することができる。ひいては、特性データの分布を高精度に記憶する特性記憶装置を実現することができる。
【００１０】
なお、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【００１１】
【図１】運転支援システムの全体構成を示す図である。
【図２】属性ＤＢに記憶されるデータ内容を示す図である。
【図３】特性ＤＢに記憶されるデータ内容を示す図である。
【図４Ａ】分布統合前の統合ＤＢに記憶されるデータ内容を示す図である。
【図４Ｂ】分布統合後の統合ＤＢに記憶されるデータ内容を示す図である。
【図５】分布統合処理の処理手順を示すフローチャートである。
【図６】複雑な分布形状を単純な形状のモデルで表現することによって、分布間の類似度を精度良く算出できない例を示す図である。
【図７】２つの分布の近傍標本間の距離のみを考慮し、分布密度の違いを考慮しないことによって、分布間の類似度を精度良く算出できない例を示す図である。
【発明を実施するための形態】
【００１２】
以下、図面を参照しながら、発明を実施するための形態を説明する。
＜１．構成＞
まず、本実施形態の運転支援システム１００の構成について、図１を参照して説明する。運転支援システム１００は、複数の情報取得部１０と、サーバ２００と、を備える。
【００１３】
複数の情報取得部１０のそれぞれは、ＣＰＵ、ＲＯＭ、ＲＡＭ及びＩ／Ｏ等を備えたコンピュータを主体とした車載装置であり、複数の車両のそれぞれに搭載されている。また、各情報取得部１０は、図示しない無線通信装置を備え、後述するサーバ２００と無線通信する。各情報取得部１０は、ＣＰＵがＲＯＭ等の非遷移的実体的記録媒体に格納されているプログラムを実行することにより、特性データ取得部１１及び属性データ取得部１２の機能を実現する。これらの機能の一部又は全部は、ハードウェアを用いて実現してもよい。また、各情報取得部１０は、属性ＤＢ１３を備える。ＤＢはデータベースの略である。
【００１４】
特性データ取得部１１は、車両情報から運転情報を取得し、取得した運転情報から運転特性を表す特性データを算出する。車両情報は、車両に搭載された各種センサによって繰り返し収集された運転情報や、属性関連情報を含む。運転情報は、アクセルペダルの操作量、ブレーキペダルの操作量、及びステアリングの操舵角などの運転操作データ、及び、車両の速度、加速度及びヨーレートなどの車両の挙動データを含む。
【００１５】
特性データは、例えば、運転情報そのものや、運転情報を微分したデータである。すなわち、特性データは、例えば、速度、加速度、アクセルペダルの操作量、ブレーキペダルの操作量、ステアリングの操舵角、アプセルペダルの操作速度、ブレーキペダルの操作速度、ステアリングの操舵角度である。また、特性データは、運転情報やその微分データを公知の手法（例えば、特許第５２７８４１９号公報参照）によって変換した離散記号でもよい。具体的には、離散記号として、特許第６０２６９５９号公報に開示されている運転トピック割合を用いてもよい。
【００１６】
属性データ取得部１２は、車両情報から属性関連情報を取得し、取得した属性関連情報を離散値のベクトルに変換して、属性データを生成する。属性関連情報は、運転情報が属する属性、詳しくは、運転情報が取得された走行状況の属性に関する情報である。具体的には、属性関連情報は、時刻データや、緯度及び経度から成る位置データ、天候データ、車種データ、ドライバのＩＤなどを含み、各種車載機器によって繰り返し収集される。各種車載機器は、センサや通信装置などである。なお、属性関連情報は、必ずしも上述した全てのデータが含まれる必要はなく、これらデータのうちの少なくとも一部が含まればよい。
【００１７】
属性データ取得部１２は、属性ＤＢ１３に記憶されている離散化の基準を用いて、属性関連情報を離散値のベクトルに変換する。図２に、属性ＤＢ１３に記憶されている時刻データを離散化する基準の一例を示す。属性データ取得部１２は、属性ＤＢ１３の基準を用いて、時刻データを属性種類の１つである時間に分割して離散値を割り当てる。具体的には、属性データ取得部１２は、０：００：００〜０：５９：５９の範囲の時刻データには離散値「０」を割り当て、１：００：００〜１：５９：５９の範囲の時刻データには離散値「１」を割り当てる。同様にして、属性データ取得部１２は、他の範囲の時刻データも離散値に変換する。また、属性データ取得部１２は、時刻データを属性種類の１つである曜日に分割して離散値を割り当ててもよい。
【００１８】
また、属性データ取得部１２は、位置データを離散化する場合は、例えば、緯度経度上で格子状の領域に位置データを分割して離散値を割り当ててもよい。また、属性データ取得部１２は、天候データを離散化する場合は、晴、曇、雨、雪などの天候に天候データを分割して離散値を割り当ててもよい。また、属性データ取得部１２は、車種データを離散化する場合は、車種データを排気量で分割して離散値を割り当ててもよいし、車種データを車格で分割して離散値を割り当ててもよい。そして、属性データ取得部１２は、複数の属性種類の離散値から構成された離散値のベクトルを属性データとして生成する。
【００１９】
そして、特性データ取得部１１によって取得された特性データと、属性データ取得部１２によって取得された属性データとは、対応づけられて、無線通信により、サーバ２００へ送信される。
【００２０】
サーバ２００は、ＣＰＵ、ＲＯＭ、ＲＡＭ及びＩ／Ｏ等を備えたコンピュータを主体として構成されており、情報センタ等に設置されている。サーバ２００は、図示しない無線通信装置を備え、複数の車両の情報取得部１０と無線通信する。サーバ２００は、ＣＰＵがＲＯＭ等の非遷移的実体的記憶媒体に格納されているプログラムを実行することにより、分布統合部２０及び支援提供部３０の各機能を実現する。これらの機能の一部又は全部は、ハードウェアを用いて実現してもよい。
【００２１】
分布統合部２０は、特性ＤＢ２１と統合ＤＢ２３と分布統合部２２とを備える。
特性ＤＢ２１は、情報取得部１０から送信された特性データと属性データとを対応づけて記憶する。図３に、特性ＤＢ２１に記憶されているデータの一例を示す。特性ＤＢ２１には、特性ＩＤと、属性データと、特性データと、が記憶されている。特性ＩＤは、観測値ごとに固有の値であり、属性データと特性データの対ごとに異なる特性ＩＤが付与されている。属性データは、例えば、属性種類を時間、位置、天候とした場合、３つの離散値のベクトルとなる。特性データは、４種類のデータを採用した場合は、４つの離散値のベクトルとなる。特性ＤＢ２１は、比較的長い期間（例えば、一週間）において取得された特性データと属性データを対応づけて記憶する。特に、特性ＤＢ２１には、属性データが示す走行状況において異常がないと判断された場合に取得された特性データが記憶される。そして、特性ＤＢ２１に記憶されている特性データは、対応する属性データが示す走行状況における運転行動の基準を示すデータとして、運転支援に用いられる。
【００２２】
分布統合部２２は、類似度算出部２２１と、補正部２２２と、統合部２２３の機能を備え、分布統合処理を行う。分布統合処理の詳細は後述する。
統合ＤＢ２３は、属性データと分布ＩＤとを対応づけて記憶する。図４Ａ及び図４Ｂに、統合ＤＢ２３に記憶されているデータの一例を示す。統合ＤＢ２３には、分布ＩＤと、属性データと、が記憶されている。分布ＩＤは、分布毎に固有の値である。後述する統合処理を実行する前の統合ＤＢ２３の初期状態において、１つの分布は、特性ＤＢ２１において同一の属性データに対応付けて記憶されている複数の特性データから構成されている。すなわち、１つの分布は、同じ走行状況で取得された運転情報から算出された特性データによって構成されている。また、新しい離散値の組み合わせによって構成された属性データには、新しい分布ＩＤが付与される。本実施形態では、分布ＩＤが分布情報に相当する。
【００２３】
そして、分布統合部２２によって、互いに異なる分布ＩＤに対応する複数の分布が類似するか否か判定される。分布統合部２２によって、類似すると判定された場合には、複数の分布が１つの分布に統合され、互いに異なる分布ＩＤが共通のＩＤに変更される。図４Ａは、統合処理前の統合ＤＢ２３に記憶されているデータの一例を示し、図４Ｂは、統合処理後の統合ＤＢ２３に記憶されているデータの一例を示す。図４Ａでは、属性データ（０，０，０），（０，０，１），（０，０，２）のそれぞれに対応するすべての特性データの分布に、互いに異なる分布ＩＤ：１，２，３が付与されている。
【００２４】
分布統合部２２により図４Ａに示すデータに対して後述する統合処理が実行されて、分布ＩＤ：１に対応する特性データの分布と、分布ＩＤ：２に対応する特性データの分布とが類似すると判定されると、２つの分布が統合される。そして、図４Ｂに示すように、属性データ（０，０，０）の分布ＩＤが、属性データ（０，０，１）の分布ＩＤと共通の「１」に変更される。すなわち、図４Ｂでは、属性データ（０，０，０）と属性データ（０，０，１）には、同一の分布ＩＤが付与されている。同一の分布ＩＤに属するすべての特性データから構成される分布は、１つの分布として扱われる。
【００２５】
支援提供部３０は、直近特性ＤＢ３１と分布比較部３２と支援提供部３３とを備える。直近特性ＤＢ３１には、特性ＤＢ２１と同様に、情報取得部１０から送信された特性データと属性データとを対応付けて記憶する。直近特性ＤＢ３１は、直近の比較的短い期間（例えば、数十分）において取得された特性データと属性データを対応づけて記憶する。直近特性ＤＢ３１に記憶されている特性データは、属性データが示す走行状況の異常の有無が判定されていない場合に取得されたデータであり、走行状況の異常の有無の判定に用いられる。
【００２６】
分布比較部３２は、直近特性ＤＢ３１に記憶されている直帰の特性データの分布と、特性ＤＢ２１に記憶されている特性データの分布との類似度を算出する。直近の特性データの分布は、直近特性ＤＢ３１において、所定の属性データに対応づけて記憶されているすべての特性データの分布である。比較対象の特性データの分布は、特性ＤＢ２１に記憶されている特性データの分布であって、統合ＤＢ２３において所定の属性データに対応づけて記憶されている分布ＩＤに属するすべての特性データの分布である。図４に示す例では、所定の属性データが（０，０，０）の場合、比較対象の特性データの分布は、属性データ（０，０，０）に対応する分布ＩＤに属するすべての特性データの分布となる。つまり、比較対象の特性データの分布は、属性データ（０，０，０）及び（０，０，１）に対応するすべての特性データの分布となる。
【００２７】
分布比較部３２は、後述する分布統合処理において分布間の類似度を算出する場合と同様に、Maximum Mean Discrepancy（以下、ＭＭＤ）に基づいて、分布間の類似度を算出する。分布間の類似度の算出については、分布統合処理の説明において詳細を述べる。
【００２８】
支援提供部３３は、分布比較部３２によって算出された類似度が、予め設定されている閾値以下になった場合に、対応する属性データが示す走行状況において異常が発生していると判断し、無線通信により車両へ警告情報を送信する。具体的には、支援提供部３３は、閾値以下の類似度に対応する属性データが示す走行状況を、走行すると予測される車両へ、警告情報を送信する。例えば、属性データが位置の場合は、支援提供部は、異常を判断してから予め設定した時間以内に同じ位置を通過すると予測される車両へ、警告情報を送信する。また、属性データが位置と時刻と天候を示している場合は、支援提供部３３は、同じ天候の同じ時刻に同じ位置を通過すると予測される車両へ、警告情報を送信する。
【００２９】
＜２．分布統合処理＞
次に、分布統合部２２が実行する分布統合処理の処理手順について、図５のフローチャートを参照して説明する。分布統合部２２は、特性データが所定量増加した都度又は所定周期で分布統合処理を実行する。
【００３０】
まず、Ｓ１０では、統合ＤＢ２３から、互いに異なる二つの分布ＩＤであるＩＤｉとＩＤｊを抽出する。
続いて、Ｓ２０では、統合ＤＢ２３から、分布ＩＤ：ＩＤｉに対する属性データの集合｛Ａｔｔｒ｝ｉと、分布ＩＤ：ＩＤｊに対する属性データの集合｛Ａｔｔｒ｝ｊを抽出する。図４Ｂに示す例では、ＩＤｉ＝１、ＩＤｊ＝３とすると、｛Ａｔｔｒ｝ｉ＝｛（０，０，０）、（０，０，１）｝、｛Ａｔｔｒ｝ｊ＝｛（０，０，２）｝となる。
【００３１】
続いて、Ｓ３０では、特性ＤＢ２１から、集合｛Ａｔｔｒ｝ｉに対応する特性データの集合Ｘ＝｛Ｂｅｈ｝ｉと、集合｛Ａｔｔｒ｝ｊに対応する特性データの集合Ｙ＝｛Ｂｅｈ｝ｊを抽出する。
【００３２】
続いて、Ｓ４０では、類似度算出部２２１が、Ｘ＝集合｛Ｂｅｈ｝ｉの確率分布である分布Ｉと、Ｙ＝集合｛Ｂｅｈ｝ｊの確率分布である分布Ｊとの分布間の類似度を算出する。ここで、複数の特性データの確率分布は、複雑な形状になることがある。図６に、特性データの確率分布である分布Ａ及び分布Ｂを示す。分布Ａにおいて１つの○が１つの特性データを示し、分布Ｂにおいて１つの四角が１つの特性データを示す。図６に示すように、分布Ａ及び分布Ｂが複雑な形状をしている場合に、分布Ａ及び分布Ｂに単純な形状のモデルを当てはめると、分布Ａと分布Ｂの形状の差がなくなり、類似した形状に見えることがある。そのため、モデルを当てはめて類似度を算出すると、分布Ａと分布Ｂの真の形状は類似度が比較的低いにも関わらず、類似度が比較的高く算出されることがある。
【００３３】
また、図７に、特性データの確率分布である分布Ｃ及び分布Ｄを示す。分布Ｃと分布Ｄは、どちらも範囲Ｒ１と範囲Ｒ２に特性データの値が集まっているが、分布Ｃは範囲Ｒ２よりも範囲Ｒ１の分布密度が高くなっているのに対して、分布Ｄは範囲Ｒ１よりも範囲Ｒ２の分布密度が高くなっている。そのため、分布Ｃと分布Ｄの近傍標本間の距離に基づいて類似度を算出すると、分布密度の違いが考慮されず、分布Ｃと分布Ｂの真の形状は類似度が比較的低いにも関わらず、類似度が比較的高く算出されることがある。
【００３４】
そこで、類似度算出部２２１は、ＭＭＤに基づいて算出する。ＭＭＤは、分布Ｉと分布Ｊの分布間の類似度を、複雑な分布形状及び分布密度を考慮することができる分布間の距離尺度である。ＭＭＤは、２つの分布が類似していないほど大きな値になるので、類似度算出部２２１は、ＭＭＤの逆数を分布間の類似度とする。ＭＭＤを用いることで、図６に示す分布Ａと分布Ｂの複雑な分布形状を考慮して類似度を評価することができるとともに、図７に示す分布Ｃと分布Ｄの分布密度の違いを考慮して類似度を評価することができる。ＭＭＤは、例えば、次の式（１）により算出される。詳細は、Gretton A., K.Borgwardt, M.Rasch, B.Schoelkopf and A.Smola:A Kernel Two-Sample Test. JMLR 2012.を参照されたい。
【００３５】
【数１】
2019114040.tif 000003
式（１）において、Ｘｉは集合Ｘの標本、Ｙｊは集合Ｙの標本、Ｎｘは集合Ｘの標本数、Ｎｙは集合Ｙの標本数、ｋは正定値カーネルを表す。
【００３６】
このとき、補正部２２２は、分布Ｉ及び分布Ｊに属する特性データの標本数の多寡によって生じる類似度の推定誤差を補正してもよい。
次に、Ｓ５０では、類似度であるＭＭＤの逆数が予め設定された閾値以上か否か判定する。ＭＭＤの逆数が閾値以上の場合にはＳ６０へ進み、ＭＭＤの逆数が閾値未満の場合にはＳ７０へ進む。
【００３７】
Ｓ６０では、統合部２２３が、属性データの集合｛Ａｔｔｒ｝ｉ及び｛Ａｔｔｒ｝ｊの分布ＩＤを共通の分布ＩＤに更新して、分布Ｉと分布Ｊとを統合する。具体的には、統合部２２３は、集合｛Ａｔｔｒ｝ｉの分布ＩＤ：ＩＤｉと集合｛Ａｔｔｒ｝ｊの分布ＩＤ：ＩＤｊのうち、値が小さい方の分布ＩＤを共通の分布ＩＤとする。
【００３８】
続いて、Ｓ７０では、すべての異なる二つの分布ＩＤの組合せについてＭＭＤを算出したか否か判定する。すべての組合せについてＭＭＤを算出していない場合は、Ｓ１０へ戻り、Ｓ１０〜Ｓ７０の処理を繰り返し実行する。一方、すべての組合せについてＭＭＤを算出している場合は、本処理を終了する。
【００３９】
＜３．効果＞
以上説明した本実施形態によれば、以下の効果が得られる。
（１）特性データの分布間の類似度としてＭＭＤの逆数を用いることにより、特性データの分布の複雑な形状及び分布密度を考慮して、精度良く分布間の類似度を評価し、類似する２つの分布を１つの分布に統合することができる。したがって、運転特性の分布を高精度に記憶する特性記憶装置を実現することができる。
【００４０】
（２）分布間の類似度を算出する際に、特性データの標本数の多寡によって生じる類似度の推定誤差を補正することにより、類似度に対する誤差の影響を軽減し、類似度の精度を向上させることができる。
【００４１】
（他の実施形態）
以上、本開示を実施するための形態について説明したが、本開示は上述の実施形態に限定されることなく、種々変形して実施することができる。
【００４２】
（ａ）上記実施形態では、各車両の情報取得部１０が、特性データ取得部１１、属性データ取得部１２及び属性ＤＢ１３を備えていたが、各車両は車両情報をサーバ２００へ無線通信で送信するだけでもよい。すなわち、サーバ２００が、特性データ取得部１１、属性データ取得部１２及び属性ＤＢ１３を備えていてもよい。
【００４３】
（ｂ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本開示の実施形態である。
【００４４】
（ｃ）上述した特性記憶装置の他、当該特性記憶装置を構成要素とする運転支援システム、当該特性記憶装置としてコンピュータを機能させるためのプログラム、このプログラムを記録した半導体メモリ等の非遷移的実態的記録媒体など、種々の形態で本開示を実現することもできる。
【符号の説明】
【００４５】
２１…特性ＤＢ、２３…統合ＤＢ、２００…サーバ、２２１…類似度算出部、２２３…統合部。
【図１】
2019114040.tif 000004
【図２】
2019114040.tif 000005
【図３】
2019114040.tif 000006
【図４Ａ】
2019114040.tif 000007
【図４Ｂ】
2019114040.tif 000008
【図５】
2019114040.tif 000009
【図６】
2019114040.tif 000010
【図７】
2019114040.tif 000011